(57)【特許請求の範囲】
【請求項１】
枚葉紙処理機械の圧力消費機器および／または真空消費機器を、枚葉紙処理機械の作業周期で、圧力源および／または真空源に接続しまたはそれらから遮断するバルブユニットを制御する方法であって、前記作業周期の周波数が最小周波数と最大周波数との間で可変であり、前記バルブユニットが、不動の外側部分（１２）と、該外側部分（１２）内に配置され、該外側部分（１２）に対して回転させられる内側部分（１７）とを有する回転バルブ（１３）で構成される、バルブユニットを制御する方法において、
前記回転バルブ（１３）の内部部分（１７）の、機械速度に応じた回転速度に、前記内部部分（１７）を回転させることによって位相調節の働きをする調節速度を重ね合わせることを特徴とする、バルブユニットを制御する方法。
【請求項２】
所望の位相調節が達成されるまで、前記内部部分（１７）の回転速度に前記調節速度を重ね合わせる、請求項１に記載の方法。
【請求項３】
前記位相調節の大きさが前記機械速度に依存している、請求項１または請求項２に記載の方法。
【請求項４】
請求項１に記載の方法を実施する装置において、
前記内部部分（１７）の駆動装置を機械速度で駆動するチェーンまたは歯付きベルト駆動装置（２８）が設けられており、このチェーンまたは歯付きベルト駆動装置（２８）が張り側部分（３４）と緩み側部分（３１）を有しており、前記張り側部分（３４）は前記内部部分（１７）の位相調節のためにずらすことができるように構成され、前記張り側部分（３４）のずらしは前記緩み側部分（３１）において補償される装置。
【請求項５】
チェーンまたは歯付きベルトの張り側部分（３４）に作用する調節ローラ（３６）が設けられている、請求項４に記載の装置。
【請求項６】
前記調節ローラ（３６）の位置を変えるための調節手段（３７、３８、３９、４１）を有する、請求項５に記載の装置。
【請求項７】
蓄力器（３２）の力が加わる、チェーンまたは歯付きベルトの緩み側部分（３１）に作用するテンションローラ（３３）を有する、請求項４から６のいずれか１項に記載の装置。
【請求項８】
請求項１に記載の方法を実施する装置において、前記回転バルブ（１３）の内部部分（１７）の、機械速度で回転する軸端（２６）上に配置された重ね合わせ伝動装置（４２）を有し、前記重ね合わせ伝動装置（４２）が遊星歯車装置であり、前記遊星歯車装置の遊星歯車支持体（４６）が位相調節のためにサーボモータによって回転できるように配置されている装置。
【請求項９】
前記回転バルブ（１３）の外部部分（１２）が固定されて配置されている、請求項１から請求項８のいずれか１項に記載の装置。
【発明の詳細な説明】
【０００１】
【発明の属する技術分野】
本発明は、枚葉紙加工機械の圧力消費機器および／または真空消費機器を、枚葉紙処理機械の作業周期で、圧力源および／または真空源に接続しまたはそれらから遮断するバルブユニットを制御する方法および装置であって、作業周期周波数が最小周波数と最大タクト周波数との間で可変であり、バルブユニットが、不動の外側部分と、該外側部分内に配置され、該外側部分に対して回転させられる内側部分とを有する回転バルブで構成される、バルブユニットを制御する方法および装置に関する。
【０００２】
【従来の技術】
この種の方法と、これに対応する装置は、ドイツ特許公開公報第３８４２３９０Ａ１号によって知られている。この種の制御装置においては、たとえば枚葉紙をつかんで送り出すために、枚葉紙処理機械の作業周期の一定の時間の間に、たとえば紙さばき用吸引口、送り出し用吸引口、およびその他の圧力消費機器および／または真空消費機器に、バルブユニットを通して圧力もしくは真空を供給する。
【０００３】
ドイツ特許公開公報第３８４２３９０Ａ１号においては、機械速度が変化したときに空気制御時間の位相を変えるために、回転バルブの外部部分を揺動させる。この方策は、外部部分に配設された空気吸入および／または空気排出のための吸気管と排気管を一緒に揺動させなければならないという欠点を含んでいる。
消費機器における加圧もしくは減圧は一定の時間を必要とし、かつ圧力源もしくは真空源を一定の出力で供給するので、作業周期の周波数が上昇すると、作業のその時々の時間に対して、供給される消費機器の要求に遅延を来す。その結果として、作業タクトとずれた枚葉紙の不正確な処理、たとえば枚葉紙搬送の遅延が生じる。しかし、枚葉紙搬送の遅延によって、印刷機など後処理装置に枚葉紙を正確に送れなくなる。
【０００４】
【発明が解決しようとする課題】
本発明の目的は、空気吸入および／または空気排出を正確な周期で制御することを保証するバルブユニットの制御方法と、この方法を実施する装置を提供することである。
【０００５】
【課題を解決するための手段】
本発明によれば、上記の目的は請求項１、４、および８の特徴部に記載した特徴によって達成される。
【０００６】
本発明の利点は、回転バルブの外部部分が動かないように配置されている点である。この方策により、必要な吸気管と排気管に対して小さい取り付けスペースを設け、かつ吸気管と排気管の損耗を少なく押さえることが可能である。
【０００７】
さらに、回転バルブと、これに付属する消費機器との間で、吸気管と排気管を有利な曲げ半径のもとで最短経路で設けることが可能である。
【０００８】
好適な実施態様において、チェーン駆動または歯付きベルト駆動装置をずらすために、揺動可能なレバーに回転可能に支持された、チェーンまたは歯付きベルトの張り側部分に作用する調節ローラが設けられている。ばねで力が加えられたテンションローラは、チェーンまたは歯付きベルトの張り側部分における調節量を補償する。
【００１０】
【発明の実施の形態】
以下に、本発明の実施の形態を図面に基づいて詳細に説明する。
【００１１】
枚葉紙パイル２から取り出された枚葉紙１を搬送して枚葉紙輪転印刷機に送るために、幾つかの圧力消費機器および／または真空消費機器が設けられている。これらは、枚葉紙パイル２の上方に配設された持ち上げ用吸引器３、送り出し用吸引器４、または枚葉紙パイル側面に向けられた紙さばき用送風器５である。これらの圧力消費機器および／または真空消費機器は、設けられた圧力および／または真空の供給管および／または排出管、たとえばホース６、７、８、９を通して接続スリーブ１１と連通している。接続スリーブ１１は回転バルブ１３の固定された外部部分１２、たとえばケースにねじで締めつけられている。回転バルブ１３は、吸引ヘッド１５のケースにフランジ止めされている。
【００１２】
外部部分１２には、円筒形内部部分１７が外部部分１２の孔１８内で非接触に回転可能に支持されている。
【００１３】
外部部分１２は、その周囲に出口１９、２１と、入口２２、２３を有している。これらは、内部部分１７と外部部分１２が互いに特定の相対的位置を取る間、内部部分１７にある制御開口部２４によって、互いに組み合わされた入口２２、２３と出口１９、２１とを相互に接続させる。入口２２、２３は、図示されない圧力源もしくは真空源と接続している。送風空気量を調節するために、調整可能な絞り弁２０が出口２１に配置されている。内部部分１７の軸端２６上には、駆動ギヤ２７が取り付けられている。駆動ギヤ２７は、巡回する無端のチェーンまたは歯付きベルト駆動装置２８によって、枚葉紙処理機械（図示せず）の速度で駆動される。チェーンまたは歯付きベルト駆動装置２８の駆動は、ギヤ２９によって行なわれる。チェーンまたは歯付きベルト駆動装置２８のチェーンまたは歯付きベルトの張りの部分３１は、ばね３２によって荷重がかけられたテンションローラ３３によって張られている。チェーンまたは歯付きベルト駆動装置２８のチェーンまたは歯付きベルトの張りの部分３４には、調節ローラ３６が当たっている。調節ローラ３６は、揺動可能に配置されたレバー３７の端部に回転可能に支持されている。レバー３７には、調節部材３８がリンク統合されている。調節部材３８は、調節駆動装置３９によって駆動される、軸方向に可動のねじ棒、ピストンロッド、または類似のものであってよい。
【００１４】
調節駆動装置３９は制御コンピュータ４１と接続されている。制御コンピュータ４１の入力値としては、枚葉紙処理機械の速度（もしくは回転数）を用いる。制御コンピュータ４１は、この速度から調節駆動装置３９の調節値を計算する。
【００１５】
枚葉紙処理機械の速度が増加するにつれて、送風空気または吸引空気の供給を早くしなければならない。そのため、調節駆動装置３９は、調節部材３８によって枚葉紙処理機械の速度の増加と共にレバー３７を角度αだけ揺動させる。このとき、調節ローラ３６はチェーンまたは歯付きベルトの張りの部分３４に作用して、これをある一定の距離だけずらす。この方策によって、ギヤ２９と２７の間のチェーンまたは歯付きベルト駆動装置２８の距離は長くなり、機械周期に対する内部部分１７の所望の位相変化が達成されるまで、機械速度で駆動される内部部分１７に、調節運動中に続いている第２の速度が重ね合わされる。
【００１６】
テンションローラ３３はチェーンまたは歯付きベルトの張りの部分３４の距離が延びた分を、チェーンまたは歯付きベルトの張りの部分３１を相応に短くすることによって調整する。
【００１７】
一点鎖線は、内部部分１７の最大早送り、すなわち枚葉紙処理機械の最大速度の状態におけるチェーンまたは歯付きベルト駆動装置２８を示す。
【００１８】
機械速度が減少すると、レバー３７は調節ローラ３６と一緒に揺動して戻り、チェーンまたは歯付きベルトの張りの部分３４の距離は短くなる。その結果として、調節運動中に内部部分１７の回転速度は遅くなる。
【００１９】
第２の実施の形態において、機械速度の調節速度との重ね合わせは、たとえば遊星歯車装置４２の形態をした重ね合わせ歯車装置を用いることによって行われる。遊星歯車装置４２は軸端２６上に載っている。遊星歯車装置４２の主駆動は、軸端２６との共通軸心に配置された回転軸４３によって行われる。回転軸４３は、減速または増速歯車装置４４を介して枚葉紙処理機械によって駆動される。遊星歯車装置４２の減速または加速は、軸端２６が枚葉紙処理機械の速度で回転するように、その都度減速または増速歯車装置４４にしたがって依存して選択される。早送りを調整するために（位相調整）、遊星歯車支持体４６が、たとえばサーボモータ（図示せず）によって揺動させられる。
【図面の簡単な説明】
【図１】枚葉紙輪転印刷機の給紙装置における吸引ヘッドの概略的な側面図である。
【図２】回転バルブを上から見た概略的な断面図である。
【図３】他の実施の形態を示す図である。
【符号の説明】
１    枚葉紙
２    枚葉紙パイル
３    持ち上げ用吸引口
４    送り出し用吸引口
５    紙さばき用送風器
６、７、８、９    ホース
１１    接続スリーブ
１２    外部部分
１３    回転バルブ
１５    吸い口ヘッド
１７    内部部分
１８    孔
１９、２１    出口
２０    絞り弁
２２、２３    入口
２４    制御開口部
２６    軸端
２７    駆動ギヤ
２８    チェーン駆動または歯付きベルト駆動装置
２９    ギヤ
３１    荷重チェーンまたは歯付きベルトの張り側部分
３２    ばね
３３    テンションローラ
３４    チェーンまたは歯付きベルトの張り側部分
３６    調節ローラ
３７    レバー
３８    調節部材
３９    調節駆動部
４１    制御コンピュータ
４２    遊星歯車装置
４３    回転軸
４４    減速または加速歯車装置
４６    遊星歯車支持体
α    角度
【図１】
0003807769.tif 000002
【図２】
0003807769.tif 000003
【図３】
0003807769.tif 000004